(57)【要約】【課題】チャンネルカセットを交換し、周波数を変更する送信機では、ＩＦ周波数と濾波器の減衰特性に制限され、帯城幅を広くすることができなかった。本発明は、小型の無線伝送装置を提供することが課題である。【解決手段】規定マイクロ波周波数からＩＦ周波数分だけ低い周波数で発振するローカル発振器と、ＩＦ信号とローカル発振器出力を混合する周波数混合器と、該混合器出力からＩＦ信号と局部発振周波数と加算されたＲＦ周波数成分のみを取り出すための帯域濾波器と、該濾波器出力を規定レベルに増幅する電力増幅器で構成されるマイクロ波送信回路において、規定マイクロ波周波数（チャンネル）を切り換えるために、上記局部発振器と上記濾波器を交換可能な一つのカセットとし、チャンネルカセットのマイクロ波信号の受け渡しをプッシュオンコネクタで行う伝送装置である。【選択図】　　　図１
2004064594.tif 000002
【特許請求の範囲】
【請求項１】
規定マイクロ波周波数から中間周波数（ＩＦ周波数）分だけ低い周波数で発振する局部発振器（ローカル発振器）と、ＩＦ信号とローカル発振器出力を混合する周波数混合器（ミキサ）と、該混合器出力からＩＦ信号と局部発振周波数と加算された周波数成分（ＲＦ周波数）のみを取り出すための帯域濾波器（バンドパスフィルタ）と、該濾波器出力を規定レベルに増幅する電力増幅器で構成されるマイクロ波送信回路において、規定マイクロ波周波数（チャンネル）を切り換えるために、上記局部発振器と上記濾波器を交換可能な一つのカセットとし、チャンネルカセットのマイクロ波信号の受け渡しをプッシュオンコネクタで行うことを特徴とする伝送装置。
【請求項２】
受信されたマイクロ波（ＲＦ）信号を低雑音増幅する増幅器と、イメージ周波数を減衰するための帯域濾波器（バンドパスフィルタ）と、ＲＦ信号から規定マイクロ波からＩＦ周波数分低い周波数で発振する局部発振器（ローカル発振器）と、このＲＦ信号とローカル発振器出力を混合する周波数混合器（ミキサ）と該混合器出力からＲＦ信号から局部発振周波数を減算された周波数成分（ＩＦ信号）のみを取り出すためのマイクロ波受信回路において、規定マイクロ波周波数（チャンネル）を切り換えるために、上記局部発振器と上記濾波器を交換可能な一つのカセットとし、チャンネルカセットのマイクロ波信号の受け渡しをプッシュオンコネクタで行うことを特徴とする伝送装置。
【発明の詳細な説明】
【０００１】
【発明の属する技術分野】
本発明は、小型の放送用画像伝送装置（ＦＰＵ）で、ＩＦ信号を規定のマイクロ波周波数に変換する周波数変換器において、チャンネル周波数を切り換えるために交換するチャンネルカセットに関するものである。
【０００２】
【従来の技術】
従来技術による周波数変換回路を含む送信機を図２に示す。１は送信ＩＦ信号入力端子、２はＩＦレベル可変器、３はＩＦ信号とローカル信号を混合する混合器、４は規定周波数成分のみを取り出す帯域濾波器、５は規定レベルまで増幅する電力増幅器（送信出力の一部を取り出す為の方向性結合器を兼ねる）、６は送信アンテナ装置、７は送信ＲＦ信号、８はローカル発振器、９は送信出力を規定値に制御するＡＧＣ制御回路、１０は容易に取り外し交換できるようにチャンネルカセットとしている。
【０００３】
この動作を説明する。　送信機は、ＩＦ入力信号端子１からの入力信号をＩＦレベル可変器２に接続し、周波数混合器３でローカル発振器８との加算周波数成分を帯域濾波器４で取り出し、電力増幅器５で増幅し、送信アンテナ装置６から無線送信する。
【０００４】
送信出力レベルは、ＡＧＣ制御回路９を介してＩＦレベル可変器２に供給され、その出力レベルを制御する。ＩＦレベル可変器２は、周波数混合器３及び電力増幅器５によるレベル変動分と、入力レベルの変動分を吸収して送信出力レベルを一定とする。
【０００５】
【発明が解決しようとする課題】
従来技術の送信機では、図３に示すように、濾波器４の減衰特性１３により、ローカル周波数範囲が制限されてしまう。ローカル周波数１１をＩＦ周波数幅１４と同程度変化させたチャンネルカセットを挿入した場合、ローカル周波数１１が濾波器を通過する量が増加し、スプリアス規格を満足しなくなる（受信機では混信妨害に弱くなる）。
【０００６】
本発明は、これらの欠点を除去し、小型の無線送信装置（無線受信装置）を提供することを目的とする。
【０００７】
【課題を解決するための手段】
本発明は、前記目的を達成するために、規定マイクロ波周波数から中間周波数（ＩＦ周波数）分だけ低い周波数で発振する局部発振器（ローカル発振器）と、ＩＦ信号とローカル発振器出力を混合する周波数混合器（ミキサ）と、該混合器出力からＩＦ信号と局部発振周波数と加算された周波数成分（ＲＦ周波数）のみを取り出すための帯域濾波器（バンドパスフィルタ）と、該濾波器出力を規定レベルに増幅する電力増幅器で構成されるマイクロ波送信回路において、規定マイクロ波周波数（チャンネル）を切り換えるために、上記局部発振器と上記濾波器を交換可能な一つのカセットとし、チャンネルカセットのマイクロ波信号の受け渡しをプッシュオンコネクタで行う伝送装置である。
【０００８】
また、受信されたマイクロ波（ＲＦ）信号を低雑音増幅する増幅器と、イメージ周波数を減衰するための帯域濾波器（バンドパスフィルタ）と、ＲＦ信号から規定マイクロ波からＩＦ周波数分低い周波数で発振する局部発振器（ローカル発振器）と、このＲＦ信号とローカル発振器出力を混合する周波数混合器（ミキサ）と該混合器出力からＲＦ信号から局部発振周波数を減算された周波数成分（ＩＦ信号）のみを取り出すためのマイクロ波受信回路において、規定マイクロ波周波数（チャンネル）を切り換えるために、上記局部発振器と上記濾波器を交換可能な一つのカセットとし、チャンネルカセットのマイクロ波信号の受け渡しをプッシュオンコネクタで行う伝送装置である。
【０００９】
つまり、チャンネルカセットに最適な組合せとなるローカル発振器と濾波器を両方実装する。この場合、チャンネルカセットを本体に組み込むためには、電源コネクタを別にすると、ローカル出力用コネクタと、濾波器の入力及び出力コネクタの合計３個のコネクタをつなぐ必要がある。３個のコネクタを位置精度良く配置する必要があるが、１ｍｍ程度の挿入位置誤差を吸収するプッシュオンコネクタが市販されている。
【００１０】
【発明の実施の形態】
本発明による無線伝送装置の一実施例について、図１のプロック図を用い説明する。　１は送信ＩＦ信号入力端子、２はＩＦレベル可変器、３はＩＦ信号とローカル信号を混合する混合器、４は規定周波数成分のみを取り出す帯域濾波器、５は規定レベルまで増幅する電力増幅器（送信出力の一部を取り出す為の方向性結合器を兼ねる）、６は送信アンテナ装置、７は送信ＲＦ信号、８はローカル発振器、９は送信出力を規定値に制御するＡＧＣ制御回路、１０’は濾波器４及びローカル発振器８を容易に取り外し交換できるようにチャンネルカセットとしている。
【００１１】
図４は、本発明によるチャンネルカセット１０’を示す。ローカル発振器８の出力、及び濾波器４の入出力はコネクタ１５〜１７に接続され、このコネクタが本体にあるコネクタに押し込まれることによって信号が接続される。
【００１２】
なお、受信機の構成は、送信機の構成と同じで、図１の送信アンテナ装置６を受信アンテナ装置とし、送信ＩＦ信号入力端子１を受信ＩＦ信号出力端子としたもので、受信されたマイクロ波（ＲＦ）信号を低雑音増幅する増幅器と、イメージ周波数を減衰するための帯域濾波器（バンドパスフィルタ）と、ＲＦ信号から規定マイクロ波からＩＦ周波数分低い周波数で発振する局部発振器（ローカル発振器）と、このＲＦ信号とローカル発振器出力を混合する周波数混合器（ミキサ）と、該混合器出力からＲＦ信号から局部発振周波数を減算された周波数成分（ＩＦ信号）のみを取り出すためのマイクロ波受信回路であり、規定マイクロ波周波数（チャンネル）を切り換えるために、該局部発振器と該濾波器を交換可能な一つのカセットとし、チャンネルカセットのマイクロ波信号の受け渡しをプッシュオンコネクタで行う。
【００１３】
【発明の効果】
本発明によれば、装置の許容周波数帯域は、濾波器の帯城ではなく、例えば電力増幅器の帯域幅まで広げることができる。
【図面の簡単な説明】
【図１】本発明による無線送信装置のプロック図
【図２】従来技術による無線送信装置のプロック図
【図３】従来技術による周波数帯城幅が制限される説明図
【図４】本発明によるチャンネルカセットの一実施例のプロック図
【符号の説明】
１：送信ＩＦ信号入力端子、２：ＩＦレベル可変器、３：周波数混合器、４：帯域濾波器、５：電力増幅器、６：送信アンテナ装置、７：送信ＲＦ信号、８：局部発振器、９：ＡＧＣ回路、１０’：チャンネルカセット。
【図１】
2004064594.tif 000003
【図２】
2004064594.tif 000004
【図３】
2004064594.tif 000005
【図４】
2004064594.tif 000006